(57)【要約】【課題】弁座と弁体とを擦り合わせ、弁座と弁体との間に付着する付着物を除去して、弁体が付着物により弁座を遮蔽できなくなることを防止することができ、排ガスの流量を正確に制御することができる弁装置と内燃機関を提供する。【解決手段】燃焼後の排ガスが通過する開口部１０ｂを有する弁筒１１と、開口部１０ｂに設けられた弁座１２と、開口部１０ｂを遮蔽し、且つ開放する弁体１３と、弁体１３が固定される弁軸１４と、弁体１３が弁座１２から離間するように弁軸１４を軸方向に移動する駆動装置１５と、弁体１３が弁座１２に接触するように弁軸１４を軸方向に付勢するスプリング１６を備えると共に、駆動装置１５、又はスプリング１６により弁軸１４が軸方向に移動したときに、弁軸１４の直線運動の一部を回転運動に変換し、弁軸１４を軸周りに回転させて弁体１３と弁座１２を相互に擦り合わせる運動変換部２０を設けて構成される。【選択図】図１
2015140673.tif 000002
【特許請求の範囲】
【請求項１】
流体が通過する開口部を有する弁筒と、該開口部に設けられた弁座と、該弁座に接触して前記開口部を遮蔽し、且つ前記弁座から離間して前記開口部を開放する弁体と、該弁体が固定される弁軸と、前記弁体が前記弁座から離間するように前記弁軸を軸方向に移動する駆動装置と、前記弁体が前記弁座に接触するように前記弁軸を軸方向に付勢する付勢部材とを備える弁装置において、
前記駆動装置、又は前記付勢部材が前記弁軸を軸方向に移動させたときに、前記弁軸の直線運動の一部を回転運動に変換し、前記弁軸を軸周りに回転させて前記弁体と前記弁座を相互に擦り合わせる運動変換部を設けることを特徴とする弁装置。
【請求項２】
前記運動変換部が切込溝と該切込溝に案内される従動節を備え、前記切込溝と前記従動節のどちらか一方を前記弁軸に設けると共に、他方を前記弁軸の外周に設けることを特徴とする請求項１に記載の弁装置。
【請求項３】
前記弁軸が、前記弁体が固定される弁軸本体と、該弁軸本体に固定された接触盤と、前記駆動装置により前記弁軸の軸方向に伸縮する伸縮軸と、該伸縮軸に前記弁軸の軸周りに回転可能に支持され、前記接触盤と面接触する回転盤とからなり、
前記回転盤に前記従動節を、前記回転盤の外周に前記切込溝をそれぞれ設けると共に、前記駆動装置、又は前記付勢部材が前記弁軸を軸方向に移動させた場合で、前記接触盤と前記回転盤が面接触していないときに、前記接触盤と前記回転盤とを前記弁軸の軸周りの回転方向に係合する係合機構を備えることを特徴とする請求項２に記載の弁装置。
【請求項４】
請求項１〜３のいずれか１項に記載の弁装置をＥＧＲバルブとして設けることを特徴とする内燃機関。
【発明の詳細な説明】
【技術分野】
【０００１】
本発明は、弁装置と内燃機関に関し、より詳細には、弁座と弁体との間に付着した付着物を除去することで、弁装置を通過する流量を正確に制御することができる弁装置と内燃機関に関する。
【背景技術】
【０００２】
エンジンの排ガスを低減する方法としてＥＧＲシステムを搭載することが提案されている。ＥＧＲシステムを搭載することにより、空気とＥＧＲガスを混合させたガスを筒内に導入することで、筒内の燃焼温度が低下して、ＮＯｘを低減している。
【０００３】
しかし、ＥＧＲガスを必要以上に導入すると、スモークの排出量が増加するため、ＥＧＲガスと空気の割合はエンジンの運転条件に合わせて適切な割合にする必要がある。その適切な割合を実現するために、ＥＧＲバルブを用いて筒内に導入するＥＧＲガスの導入量を制御している。
【０００４】
ＥＧＲガスは排ガスそのものなのでスモークが存在し、そのスモーク中の煤がＥＧＲガスの弁座と弁体に付着する。この場合に、ＥＧＲバルブの開度が微小なときの排ガスの流量を制御できなくなるなどの問題が生じて、排ガスの排出量が悪化する、及びエンジンの出力が悪化するなどの問題が起きる。
【０００５】
これに関して、弁軸を軸心まわりに回転可能にダイアフラムに支持し、排ガスの吸入口側の弁軸にインペラを取り付け、排ガスが吸入口を流れる際にインペラが回転して弁軸を回転させる装置が提案されている（例えば、特許文献１参照）。
【０００６】
しかし、この装置では、ＥＧＲバルブに流れ込む排ガスの流量が小さい場合に、排ガスによりインペラを回転させることができない。そのため、ＥＧＲバルブの開度を微小にする機会が多い場合には、弁座と弁体との間に付着した煤により、弁体が吸入口を遮蔽することができなくなり、ＥＧＲバルブの開度が微小なときの排ガスの流量を制御できなくなる。
【０００７】
また、弁体が弁座から離間したときに弁軸を回転させるため、弁体に付着した煤を振り払うことはできるが、弁座に付着した煤はそのままになり、結局、弁体と弁座の間に煤が残ることになる。
【先行技術文献】
【特許文献】
【０００８】
【特許文献１】実開昭５８−４４４６５号公報
【発明の概要】
【発明が解決しようとする課題】
【０００９】
本発明は、上記の問題を鑑みてなされたものであり、その課題は、弁座と弁体とを擦り合わせ、弁座と弁体との間に付着する付着物を除去して、弁体が付着物により弁座を遮蔽できなくなることを防止することができ、排ガスの流量を正確に制御することができる弁装置と内燃機関を提供することである。
【課題を解決するための手段】
【００１０】
上記の課題を解決するための本発明の弁装置は、流体が通過する開口部を有する弁筒と
、該開口部に設けられた弁座と、該弁座に接触して前記開口部を遮蔽し、且つ前記弁座から離間して前記開口部を開放する弁体と、該弁体が固定される弁軸と、前記弁体が前記弁座から離間するように前記弁軸を軸方向に移動する駆動装置と、前記弁体が前記弁座に接触するように前記弁軸を軸方向に付勢する付勢部材とを備える弁装置において、前記駆動装置、又は前記付勢部材が前記弁軸を軸方向に移動させるときに、前記弁軸の直線運動の一部を回転運動に変換し、前記弁軸を軸周りに回転させて前記弁体と前記弁座を相互に擦り合わせる運動変換部を設けて構成される。
【００１１】
この構成によれば、運動変換部により弁軸の直線運動の一部を回転運動に変換し、弁軸を軸周りに回転させて弁体と弁座を相互に擦り合わせることができるので、流体の不純物などが弁体の弁座と接触する面、及び弁座の弁体と接触する面に付着しても、その付着物を除去することができる。そのため、弁体と弁座との間の付着物によって弁装置の開閉制御に支障が生じることを回避することができる。
【００１２】
また、運動変換部により弁軸の直線運動の一部を回転運動に変換し、弁体と弁座とを擦り合わせるので、確実に弁体と弁座との間の付着物を除去することができる。
【００１３】
特に、上記の弁装置をＥＧＲバルブとして用いると、弁体と弁座との間に排ガス中の煤などが堆積することを回避し、微小開度での排ガスの流量の制御性を確保することができるので、空気とＥＧＲガスの割合を内燃機関の運転条件に合わせた適切な割合にすることができる。これにより、排ガスの排出量の悪化や内燃機関の出力の悪化などを回避することができる。
【００１４】
また、上記の弁装置において、前記運動変換部が切込溝と該切込溝に案内される従動節を備え、前記切込溝と前記従動節のどちらか一方を前記弁軸に設けると共に、他方を前記弁軸の外周に設けると、カムの原理で、弁軸の軸方向の直線運動の一部を軸周りの回転運動に変換することができるので、弁座と弁体の間の付着物を除去することができる。
【００１５】
加えて、上記の弁装置において、前記弁軸が、前記弁体が固定される弁軸本体と、該弁軸本体に固定された接触盤と、前記駆動装置により前記弁軸の軸方向に伸縮する伸縮軸と、該伸縮軸に前記弁軸の軸周りに回転可能に支持され、前記接触盤と面接触する回転盤とからなり、前記回転盤に前記従動節を、前記回転盤の外周に前記切込溝をそれぞれ設けると共に、前記駆動装置、又は前記付勢部材が前記弁軸を軸方向に移動させた場合で、前記接触盤と前記回転盤が面接触していないときに、前記接触盤と前記回転盤とを前記弁軸の軸周りの回転方向に係合する係合機構を備えて構成されることが望ましい。
【００１６】
この構成によれば、接触盤と回転盤が面接触していない状態、つまり弁体と弁座とが接触した状態で、運動変換部により回転盤を回転させて、その回転盤の回転を係合機構により接触盤を伝達して、接触盤を回転させることができる。これにより、弁体を弁座から離間させずに、弁体と弁座を相互に擦り合わせて、弁体と弁座の間の付着物を確実に除去することができる。
【００１７】
例えば、この弁装置は、弁装置の開口部を開放する場合に、駆動装置により伸縮軸が伸張し、それに伴って回転盤が軸方向に移動する。そして、回転盤に設けた従動節が螺旋状の切込溝に案内されて回転盤が回転しながら軸方向に移動する。合わせて、係合機構により回転盤の回転方向に係合した接触盤と弁軸本体が回転する。このとき接触盤と回転盤は面接触していないため、弁体は弁座から離間することなく、弁体と弁座を相互に擦り合わせることができる。
【００１８】
なお、ここでいう接触盤と回転盤の面接触とは、接触盤の回転盤側の面と回転盤の接触
盤側の面が接触することをいう。
【００１９】
そして、上記の課題を解決するための本発明の内燃機関は、上記に記載の弁装置をＥＧＲバルブとして設けて構成される。この構成によれば、弁体と弁座との間に付着する煤を除去し、ＥＧＲバルブの開閉制御に支障が生じることを回避することができるので、ＥＧＲバルブの微小な開閉制御を可能にして、排ガスや出力の悪化を抑制することができる。
【発明の効果】
【００２０】
本発明の弁装置と内燃機関によれば、運動変換部により弁軸の直線運動の一部を回転運動に変換し、弁軸を軸周りに回転させて弁体と弁座を相互に擦り合わせることができるので、流体の不純物などが弁体の弁座と接触する面、及び弁座の弁体と接触する面に付着しても、その付着物を除去することができる。そのため、弁体と弁座との間の付着物によって弁装置の開閉制御に支障が生じることを回避することができる。
【００２１】
また、運動変換部により弁軸の直線運動の一部を回転運動に変換し、弁体と弁座とを擦り合わせるので、確実に弁体と弁座との間の付着物を除去することができる。
【００２２】
これにより、微小開度での排ガスの流量の制御性を確保して、空気とＥＧＲガスの割合を内燃機関の運転条件に合わせた適切な割合にすることができるので、排ガスの排出量の悪化や内燃機関の出力の悪化などを回避することができる。
【図面の簡単な説明】
【００２３】
【図１】本発明に係る実施の形態の弁装置を示す図であり、（ａ）は弁軸が軸周りに回転し始める様子を示し、（ｂ）は矢印Ａで示した矢視図である。
【図２】本発明に係る実施の形態の弁装置を示す図であり、（ａ）は弁軸が軸周りに回転し終わる様子を示し、（ｂ）は矢印Ａで示した矢視図である。
【図３】本発明に係る実施の形態の弁装置を示す図であり、（ａ）は弁軸が軸方向に移動した様子を示し、（ｂ）は矢印Ａで示した矢視図である。
【図４】図１の弁装置の運動変換部の切込溝を示す展開図である。
【図５】図１の弁装置の弁軸の回転盤を示す図であり、（ａ）は回転盤の平面図を示し、（ｂ）は矢印Ｂで示した側面図である。
【図６】図１の弁装置の弁軸の接触盤を示す図であり、（ａ）は接触盤の平面図を示し、（ｂ）は矢印Ｃで示した断面図である。
【図７】本発明に係る実施の形態の内燃機関を示す図である。
【発明を実施するための形態】
【００２４】
以下、本発明に係る実施の形態の弁装置と内燃機関について説明する。なお、図１の（ａ）における弁軸の軸方向で、且つ右から左方向をｘ１方向とし、左から右方向をｘ２方向する。
【００２５】
図１の（ａ）に示すように、実施の形態のＥＧＲバルブ（弁装置）１は、燃焼後の排ガスが順に通過する開口部１０ａ〜１０ｃを有する弁筒１１と、開口部１０ｂに設けられた弁座１２と、弁座１２に接触して開口部１０ｂを遮蔽し、且つ弁座１２から離間して開口部１０ｂを開放する弁体１３と、弁体１３が固定される弁軸１４と、弁体１３が弁座１２から離間するように弁軸１４を軸方向に移動する駆動装置１５と、弁体１３が弁座１２に接触するように弁軸１４を軸方向に付勢するスプリング（付勢部材）１６を備える。
【００２６】
このＥＧＲバルブ１で排ガスを筒内に導入する場合には、まず、駆動装置１５のモータ１５ａが駆動し、変換部１５ｂがモータ１５ａの回転運動を直線運動に変換する。次に、その直線運動により弁軸１４がｘ２方向に移動して、弁体１３が弁座１２から離間する。
これにより、開口部１０ｂが開放され、排ガスが開口部１０ａ〜１０ｃを順に通過して、排ガスを筒内に導入する。一方、排ガスを筒内に導入しない場合には、駆動装置１５のモータ１５ａを停止する。次に、スプリング１６の付勢力により弁軸がｘ１方向に移動して、弁体１３が弁座１２に接触する。これにより、開口部１０ｂが遮蔽され、排ガスの導入を停止する。
【００２７】
しかし、排ガス中にはスモークが存在するため、ＥＧＲバルブ１の開口部１０ｂを開放した状態にすると、弁体１３の弁座１２と接触する面、及び弁座１２の弁体１３と接触する面に煤が付着する。この弁座１２と弁体１３との間の煤を除去するために、このＥＧＲバルブ１は、駆動装置１５、又はスプリング１６により弁軸１４が軸方向に移動するときに、弁軸１４の直線運動の一部を回転運動に変換し、弁軸１４を軸周りに回転させて弁体１３と弁座１２を相互に擦り合わせる運動変換部２０を設けて構成される。
【００２８】
また、このＥＧＲバルブ１は、運動変換部２０が切込溝２１とその切込溝２１に案内される従動節２２を備え、切込溝２１を弁軸１４の外周に設けられた外筒２３に設けると共に、従動節２２を弁軸１４に設けて構成される。
【００２９】
詳しくは、弁軸１４が、弁体１３が固定される弁軸本体２４と、弁軸本体２４に固定された接触盤２５と、駆動装置１５により弁軸１４の軸方向に伸縮する伸縮軸２６と、伸縮軸２６に弁軸１４の軸周りに回転可能に支持され、接触盤２５と面接触する回転盤２７とから構成される。また、回転盤２７の外周に設けられた外筒２３に運動変換部２０の切込溝２１を、回転盤２７に従動節２２をそれぞれ設けると共に、駆動装置１５、又はスプリング１６により弁軸１４が軸方向に移動した場合で、接触盤２５と回転盤２７が面接触していないときに、接触盤２５と回転盤２７とを回転盤２７の回転方向に係合する係合機構３０を備えて構成される。
【００３０】
運動変換部２０は、カムの原理を応用して、駆動装置１５又はスプリング１６による弁軸１４の軸方向の直線運動の一部を回転運動に変換する機構である。詳しくは、外筒２３に設けた螺旋状の切込溝２１に、回転盤２７に設けた従動節２２を案内し、従動節２２が切込溝２１に沿って移動するときに回転盤２７を回転させながら軸方向に移動する機構である。
【００３１】
図４は、外筒２３の内周面に設けられた切込溝２１の展開図である。切込溝２１は、図４において斜めに切り込まれているカム溝２１ａと、従動節２２がｘ１方向からｘ２方向に移動したときに従動節２２をカム溝２１ａに案内する第一案内部２１ｂと、従動節２２がｘ２方向からｘ１方向に移動したときに従動節２２をカム溝２１ａに案内する第二案内部２１ｃとを備える。
【００３２】
カム溝２１ａは、外筒２３に設けられたときに螺旋状になる溝である。従って、駆動装置１５により伸縮軸２６が伸縮し、回転盤２７が軸方向に移動する場合に、回転盤２７の従動節２２がこのカム溝２１ａに沿って移動すると、回転盤２７は軸周りに回転しながら軸方向に移動する。
【００３３】
従動節２２は、図５に示すように、回転盤２７の外周に等間隔に設けられ、滑らかに切込溝２１に沿うように先端は丸みを設けて形成されている。
【００３４】
この従動節２２は、弁軸１４がｘ１方向からｘ２方向に移動するときに、切込溝２１の第一案内部２１ｂによりカム溝２１ａに案内される。そして、従動節２２がカム溝２１ａに沿って移動することで、回転盤２７が弁軸１４の軸周りに回転させながら軸方向に移動する。一方、弁軸１４がｘ２方向からｘ１方向に移動するときに、従動節２２が第二案内
部２１ｃによりカム溝２１ａに案内され、カム溝２１ａに沿って移動することで、回転盤２７が回転しながら軸方向に移動する。
【００３５】
外筒２３は、図１の（ａ）に示すように、弁軸１４の外周に、より詳しくは回転盤２７の外周に設けられた円筒状の筒であり、この外筒２３の内周面に前述した切込溝２１が形成されている。
【００３６】
弁軸本体２４は、弁体１３が固定され、ｘ１方向側の端部に接触盤２５が固定されており、ｘ２方向側の端部をスプリング１６により付勢されている。
【００３７】
接触盤２５は、図６に示すように、円盤状に形成され、係合機構３０の係合孔３１を備えて構成される。
【００３８】
伸縮軸２６は、開口部１０ｂを開放するときに駆動装置１５により伸張し、開口部１０ｂを遮蔽するときに駆動装置１５により縮小する。また、この伸縮軸２６のｘ２方向側の端部に回転盤２７を回転可能に支持している。
【００３９】
回転盤２７は、図５に示すように、円盤状に形成され、ｘ２方向に突出した係合機構３０の係合突起３２を備えて構成される。この係合突起３２は、接触盤２５の係合孔３１に入り、接触盤２５と回転盤２７とを回転盤２７の回転方向に係合し、運動変換部２０により回転盤２７が回転したときに接触盤２５を回転させるように構成される。
【００４０】
係合機構３０は、接触盤２５に設けた係合孔３１と、回転盤２７に設けた係合突起３２からなり、接触盤２５と回転盤２７を回転盤２７の回転方向に係合する機構である。この係合機構３０を設けることで、接触盤２５と回転盤２７とが面接触していない状態、つまり弁体１３が弁座１２に接触している状態で弁軸１４を軸周りに回転させて、弁体１３と弁座１２を相互に擦り合わせることができる。
【００４１】
次に、実施の形態のＥＧＲバルブ１の動作について説明する。なお、ここでは弁体１３を弁座１２から離間させて開口部１０ｂを開放する動作について説明する。
【００４２】
図１に示すように、まず、駆動装置１５のモータ１５ａが駆動して、変換部１５ｂがそのモータ１５ａの回転運動を直線運動に変換して、伸縮軸２６を伸張する。次に、伸縮軸２６の伸張に伴って回転盤２７がｘ１方向からｘ２方向に移動する。このとき、回転盤２７に設けられた従動節２２は、切込溝２１の第一案内部２１ｂによりカム溝２１ａの入口に案内される。また、同時に、回転盤２７の係合突起３２が接触盤２５の係合孔３１に入り、接触盤２５と回転盤２７を回転盤２７の回転方向に係合する。
【００４３】
次に、図２に示すように、駆動装置１５により伸縮軸２６が更に伸張すると、従動節２２は切込溝２１のカム溝２１ａに沿ってｘ１方向からｘ２方向に移動する。このときに、従動節２２が螺旋状のカム溝２１ａに沿って移動するので、回転盤２７は弁軸１４の軸周りに回転しながらｘ１方向からｘ２方向に移動する。
【００４４】
次に、回転盤２７が回転すると回転盤２７の係合突起３２が接触盤２５の係合孔３１の周縁部にぶつかり、接触盤２５と接触盤２５が固定されている弁軸本体２４が弁軸１４の軸周りに回転する。このときに、弁体１３と弁座１２が相互に擦り合って、弁体１３と弁座１２の間の煤などの付着物を除去する。
【００４５】
このように、弁体１３と弁座１２を擦り合わせるためには、従動節２２がカム溝２１ａに沿って、回転盤２７が回転しているときには、回転盤２７により接触盤２５と弁軸本体
２４がｘ２方向に移動していない状態とする必要がある。そこで、この実施の形態のＥＧＲバルブ１は、接触盤２５の係合孔３１と回転盤２７の係合突起３２からなる係合機構３０により接触盤２５と回転盤２７を回転盤２７の回転方向に係合させて、接触盤２５と回転盤２７が面接触するまでの間に回転盤２７を回転させるように構成される。また、運動変換部２０の切込溝２１のカム溝２１ａも、接触盤２５と回転盤２７が面接触するまでの間で、回転盤２７を回転させるように構成される。
【００４６】
次に、図３に示すように、駆動装置１５により伸縮軸２６が更に伸張すると、接触盤２５と回転盤２７とが面接触して、接触盤２５と弁軸本体２４がｘ２方向に移動する。このとき、弁体１３が弁座１２から離間して、開口部１０ｂが開放される。また、従動節２２は、切込溝２１のカム溝２１ａを抜けているので、回転盤２７は回転しない。
【００４７】
弁体１３を弁座１２に接触させて、開口部１０ｂを遮蔽する動作については、駆動装置１５により伸縮軸２６を縮小し、スプリング１６により弁軸本体２４がｘ１方向に付勢されて、弁軸１４がｘ２方向からｘ１方向に移動するだけで、上記の動作の逆となるためその説明は省略する。
【００４８】
この実施の形態のＥＧＲバルブ１によれば、運動変換部２０により弁軸１４の直線運動の一部を回転運動に変換し、弁軸１４を軸周りに回転させて弁体１３と弁座１２を相互に擦り合わせることができるので、排ガスの煤などが弁体１３の弁座１２と接触する面、及び弁座１２の弁体１３と接触する面に付着しても、それを除去することができる。そのため、弁体１３と弁座１２との間の煤などの付着物によってＥＧＲバルブ１の開閉制御に支障が生じることを回避することができる。
【００４９】
また、運動変換部２０により弁軸１４の直線運動の一部を回転運動に変換し、弁体１３と弁座１２とを擦り合わせるので、確実に弁体１３と弁座１２との間の付着物を除去することができる。
【００５０】
加えて、接触盤２５と回転盤２７が面接触していない状態、つまり弁体１３と弁座１２とが接触した状態で、運動変換部２０により回転盤２７を回転させて、その回転盤２７の回転を係合機構３０により接触盤２５に伝達して回転させることができるので、弁体１３と弁座１２を離間させずに弁体１３と弁座１２を相互に擦り合わせて、弁体１３と弁座１２の間の煤などの付着物を確実に除去することができる。
【００５１】
次に、上記のＥＧＲバルブ１を備えたエンジン２の一例について説明する。このエンジン２は、エンジン本体３に供給される空気を、エアクリーナー４、ターボチャージャー５のコンプレッサ、インタークーラー６、及び吸気スロットル７を経由して吸入し、エンジン本体３から排出される排ガスを、ターボチャージャー５のタービン、及び排ガス処理装置８を経由して排出している。そして、排ガスをＥＧＲガスとして空気と混合するためのＥＧＲシステムとしてＥＧＲクーラー９とＥＧＲバルブ１を備えて構成される。
【００５２】
このエンジン２は、エンジン２の運転条件に合わせてＥＧＲガスと空気の最適な割合を前述したＥＧＲバルブ１により制御している。
【００５３】
このエンジン２によれば、ＥＧＲバルブ１の弁体１３と弁座１２の間に煤などの付着物が堆積しないため、微小開度での排ガスの流量の制御性を確保して、空気とＥＧＲガスの割合をエンジン２の運転条件に合わせた適切な割合にすることができるので、排ガスの排出量の悪化やエンジン２の出力の悪化などを回避することができる。
【００５４】
なお、上記の実施の形態のでは、弁装置としてＥＧＲバルブ１を例に説明したが、本発
明はこれに限定されない。
【００５５】
また、上記の実施の形態のＥＧＲバルブ１の開口部１０ａ〜１０ｃの配置やスプリング１６の配置などは一例であり、適宜変更することができる。加えて、モータ１５ａの回転運動を変換部１５ｂで直線運動に変換する駆動装置１５の代わりに、例えば、ソレノイドの磁力を用いてプランジャを動かすものなどを用いることもできる。
【００５６】
また、上記の実施の形態では、運動変換部２０として、弁軸１４の周囲に設けられた切込溝２１と、弁軸１４に設けられた従動節２２により、弁軸１４の直線運動の一部を回転運動に変換する例を説明したが、本発明はこれに限定されない。例えば、弁軸の周囲に従動節を設け、弁軸に切込溝を設けた構成としてもよい。加えて、切込溝２１を回転盤２７の移動範囲に渡って設けてもよい。例えば、第二案内部２１ｃをｘ１方向からｘ２方向の直線状の溝として形成することができる。さらに、従動節２２の数や係合突起３２の数についても適宜変更可能である。
【００５７】
また、上記の実施の形態では、係合機構３０として、接触盤２５に設けた係合孔３１と、回転盤２７に設けた係合突起３２により、接触盤２５と回転盤２７を、接触盤２５と回転盤２７とが面接触する前に回転盤２７の回転方向に係合する例を説明したが、本発明はこれに限定されない。例えば、接触盤２５に係合突起３２を、回転盤２７に係合孔３１をそれぞれ設けて構成してもよい。
【産業上の利用可能性】
【００５８】
本発明の弁装置は、弁座と弁体とを擦り合わせ、弁座と弁体との間に付着する付着物を除去して、弁体が付着物により弁座を遮蔽できなくなることを防止することができ、排ガスの流量を正確に制御することができるので、空気と排ガスを混合させたガスを筒内に導入するＥＧＲシステムを備える内燃機関に利用することができる。
【符号の説明】
【００５９】
１  ＥＧＲバルブ（弁装置）
２  エンジン（内燃機関）
１０ｂ  開口部
１１  弁筒
１２  弁座
１３  弁体
１４  弁軸
１５  駆動装置
１６  スプリング（付勢部材）
２０  運動変換部
２１  切込溝
２１ａ  カム溝
２２  従動節
２３  外筒
２４  弁軸本体
２５  接触盤
２６  伸縮軸
２７  回転盤
３０  係合機構
３１  係合孔
３２  係合突起
【図１】
2015140673.tif 000003
【図２】
2015140673.tif 000004
【図３】
2015140673.tif 000005
【図４】
2015140673.tif 000006
【図５】
2015140673.tif 000007
【図６】
2015140673.tif 000008
【図７】
2015140673.tif 000009